(57)【特許請求の範囲】
【請求項１】
印刷を行う際に認証処理が必要なセキュアプリントジョブ又は印刷を行う際に認証が必要でない非セキュアプリントジョブ、に基づいて印刷を実行可能な印刷装置であって、
ジョブを入力する入力手段と、
前記入力手段により入力されたジョブが前記セキュアプリントジョブであるか前記非セキュアプリントジョブであるかに関わらず、該ジョブを記憶する記憶手段と、
前記記憶手段に記憶された、前記セキュアプリントジョブと前記非セキュアプリントジョブとを含む複数のジョブの中から、ユーザの指示に従って印刷対象のジョブを特定する特定手段と、
前記特定手段により特定されたジョブを印刷対象ジョブとし、該印刷対象ジョブが前記セキュアプリントジョブであるか前記非セキュアプリントジョブであるかを判断する判断手段と、
前記印刷対象ジョブは前記セキュアプリントジョブであると前記判断手段が判断した場合に、該印刷対象ジョブに設定されている認証情報と前記ユーザによって入力された認証情報とを比較して両者が一致しているか否かを判断する第１の認証処理を実行する認証手段と、
前記第１の認証処理により両者が一致していると判断した場合、若しくは前記印刷対象ジョブは前記非セキュアプリントジョブであると前記判断手段が判断した場合には、前記印刷対象ジョブに基づいて試し印刷を実行する印刷手段とを有し、
前記認証手段は、前記印刷手段が前記印刷対象ジョブに基づいて試し印刷を実行した後において前記判断手段が該印刷対象ジョブは前記セキュアプリントジョブであると判断した場合には、該印刷対象ジョブに設定されている認証情報と、試し印刷後にユーザによって再度入力された認証情報と、を比較して両者が一致しているか否かを判断する第２の認証処理を実行し、
前記印刷手段は、前記第２の認証処理により両者が一致していると判断した場合、若しくは前記印刷手段が前記印刷対象ジョブに基づいて試し印刷を実行した後において前記判断手段が該印刷対象ジョブは前記非セキュアプリントジョブであると判断した場合には、ユーザにより入力された試し印刷における前記印刷対象ジョブの本印刷実行指示に応じて、前記印刷対象ジョブに基づいて本印刷を実行する
ことを特徴とする印刷装置。
【請求項２】
前記試し印刷では、規定の部数分の印刷が実行されることを特徴とする請求項１に記載の印刷装置。
【請求項３】
前記本印刷では、前記印刷対象ジョブに設定された印刷部数に基づく部数分の印刷が実行されることを特徴とする請求項１又は２に記載の印刷装置。
【請求項４】
印刷を行う際に認証処理が必要なセキュアプリントジョブ又は印刷を行う際に認証が必要でない非セキュアプリントジョブ、に基づいて印刷を実行可能な印刷装置の制御方法であって、
ジョブを入力する入力工程と、
前記入力工程で入力されたジョブが前記セキュアプリントジョブであるか前記非セキュアプリントジョブであるかに関わらず、該ジョブを記憶する記憶工程と、
前記記憶工程で記憶された、前記セキュアプリントジョブと前記非セキュアプリントジョブとを含む複数のジョブの中から、ユーザの指示に従って印刷対象のジョブを特定する特定工程と、
前記特定工程で特定されたジョブを印刷対象ジョブとし、該印刷対象ジョブが前記セキュアプリントジョブであるか前記非セキュアプリントジョブであるかを判断する判断工程と、
前記印刷対象ジョブは前記セキュアプリントジョブであると前記判断工程で判断した場合に、該印刷対象ジョブに設定されている認証情報と前記ユーザによって入力された認証情報とを比較して両者が一致しているか否かを判断する第１の認証処理を実行する認証工程と、
前記第１の認証処理により両者が一致していると判断した場合、若しくは前記印刷対象ジョブは前記非セキュアプリントジョブであると前記判断工程で判断した場合には、前記印刷対象ジョブに基づいて試し印刷を実行する印刷工程とを有し、
前記認証工程では、前記印刷工程で前記印刷対象ジョブに基づいて試し印刷を実行した後において前記判断工程で該印刷対象ジョブは前記セキュアプリントジョブであると判断した場合には、該印刷対象ジョブに設定されている認証情報と、試し印刷後にユーザによって再度入力された認証情報と、を比較して両者が一致しているか否かを判断する第２の認証処理を実行し、
前記印刷工程では、前記第２の認証処理により両者が一致していると判断した場合、若しくは前記印刷工程で前記印刷対象ジョブに基づいて試し印刷を実行した後において前記判断工程で該印刷対象ジョブは前記非セキュアプリントジョブであると判断した場合には、ユーザにより入力された試し印刷における前記印刷対象ジョブの本印刷実行指示に応じて、前記印刷対象ジョブに基づいて本印刷を実行する
ことを特徴とする印刷装置の制御方法。
【請求項５】
コンピュータを、請求項１乃至３の何れか１項に記載の印刷装置の各手段として機能させるためのコンピュータプログラム。
【発明の詳細な説明】
【技術分野】
【０００１】
本発明は、印刷ジョブに基づいた印刷を行う印刷技術に関するものであり、特に、認証処理が必要な印刷ジョブの印刷技術に関するものである。
【背景技術】
【０００２】
複数ページの印刷（コピー）を行う際に、本刷りに先じて一部を試し用に印刷し、その後ユーザに対し本刷りの開始・中止・変更等を確認してから印刷を開始するという試し印刷（試しコピー）機能というものがある（特許文献１を参照）。ここで、試し印刷は機能の性質上、例えば、試し用に印刷した結果の確認や変更をユーザが行う際の、該機能により処理対象となるジョブの印刷動作が一時中断状態になるという特徴がある。
【０００３】
また、機密度の高い書類の印刷を行う際、自分の目の届かない場所で印刷が始まり、第三者に情報が漏洩するのを防ぐため、出力のために認証を必要とすることで、任意のタイミングで出力を行う事を可能としたセキュアプリントという機能がある（特許文献２を参照）。
【先行技術文献】
【特許文献】
【０００４】
【特許文献１】特開２００３−２０８２９８号公報
【特許文献２】特開２００１−３４１３６１号公報
【発明の概要】
【発明が解決しようとする課題】
【０００５】
試し印刷、及びセキュアプリントの二つの機能はそれぞれ独立した機能であり、関連性はない。出力のために認証を必要とするジョブ（セキュアジョブ）と出力のために認証を必要としないジョブ（非セキュアジョブ）は、実行開始前の制御こそ異なるが、実際に印刷が始まってしまうとその制御に相違点はないという特徴を有する。そのためセキュアジョブの試し印刷を行った際、ジョブ中断後に本刷り用の紙やトナーの補給などで該セキュアジョブのオーナが画像形成装置本体の目の前から離席すると、その間に、第３者によって、試し印刷がなされてその後の処置を待機している該セキュアジョブに対する操作がなされてしまう可能性がある。これにより、該セキュアジョブの本刷り用の印刷動作等が行われてしまい、文章の機密性を守る事ができない等のという問題が起こり得る可能性が考えられる。
【０００６】
本発明は以上の問題に鑑みて成されたものであり、セキュアジョブに基づいて試し印刷を行う場合であっても、印刷される文章の機密性を試し印刷を実行した後でも維持する為の技術を提供することを目的とする。加えて、セキュアジョブの試し印刷後のセキュリティを維持するが為に、セキュアジョブ以外の例えば、非セキュアジョブを試し印刷した場合に、使い勝手が低下する等の問題が起きるのを防止し、セキュアジョブを試し印刷した後でもセキュリティを維持する効果と、非セキュアジョブを試し印刷する際の使い勝手の向上させるという効果の両立を実現できるようにすることを目的とする。
【課題を解決するための手段】
【０００７】
本発明の目的を達成するために、例えば本発明の印刷装置は以下の構成を備える。
【０００８】
即ち、印刷を行う際に認証処理が必要なセキュアプリントジョブ又は印刷を行う際に認証が必要でない非セキュアプリントジョブ、に基づいて印刷を実行可能な印刷装置であって、
ジョブを入力する入力手段と、
前記入力手段により入力されたジョブが前記セキュアプリントジョブであるか前記非セキュアプリントジョブであるかに関わらず、該ジョブを記憶する記憶手段と、
前記記憶手段に記憶された、前記セキュアプリントジョブと前記非セキュアプリントジョブとを含む複数のジョブの中から、ユーザの指示に従って印刷対象のジョブを特定する特定手段と、
前記特定手段により特定されたジョブを印刷対象ジョブとし、該印刷対象ジョブが前記セキュアプリントジョブであるか前記非セキュアプリントジョブであるかを判断する判断手段と、
前記印刷対象ジョブは前記セキュアプリントジョブであると前記判断手段が判断した場合に、該印刷対象ジョブに設定されている認証情報と前記ユーザによって入力された認証情報とを比較して両者が一致しているか否かを判断する第１の認証処理を実行する認証手段と、
前記第１の認証処理により両者が一致していると判断した場合、若しくは前記印刷対象ジョブは前記非セキュアプリントジョブであると前記判断手段が判断した場合には、前記印刷対象ジョブに基づいて試し印刷を実行する印刷手段とを有し、
前記認証手段は、前記印刷手段が前記印刷対象ジョブに基づいて試し印刷を実行した後において前記判断手段が該印刷対象ジョブは前記セキュアプリントジョブであると判断した場合には、該印刷対象ジョブに設定されている認証情報と、試し印刷後にユーザによって再度入力された認証情報と、を比較して両者が一致しているか否かを判断する第２の認証処理を実行し、
前記印刷手段は、前記第２の認証処理により両者が一致していると判断した場合、若しくは前記印刷手段が前記印刷対象ジョブに基づいて試し印刷を実行した後において前記判断手段が該印刷対象ジョブは前記非セキュアプリントジョブであると判断した場合には、ユーザにより入力された試し印刷における前記印刷対象ジョブの本印刷実行指示に応じて、前記印刷対象ジョブに基づいて本印刷を実行する
ことを特徴とする。
【発明の効果】
【０００９】
本発明の構成により、セキュアジョブに基づいて試し印刷を行う場合であっても、印刷される文章の機密性を保持することができ、セキュアジョブの秘匿性を試し印刷実行後でも引き続き維持することが出来る。加えて、セキュアジョブの試し印刷後のセキュリティを維持するが為に、セキュアジョブ以外の例えば、非セキュアジョブを試し印刷した場合に使い勝手が低下する等の問題が起きるのを未然に防止でき、セキュアジョブを試し印刷した後でもセキュリティを維持するという効果と、非セキュアジョブを試し印刷する際の使い勝手の向上させるという効果との、両立を、実現できる。
【図面の簡単な説明】
【００１０】
【図１】本発明の第１の実施形態に係る印刷システムの基本構成を示す図である。
【図２】画像形成装置１０１の機能構成を示すブロック図である。
【図３】図２に示した操作部２０３の構成例を示す図である。
【図４】表示部３０１に表示される操作画面（ユーザインターフェース）の表示例を示す図である。
【図５】表示部３０１に表示される操作画面（ユーザインターフェース）の表示例を示す図である。
【図６】表示部３０１に表示される操作画面（ユーザインターフェース）の表示例を示す図である。
【図７】表示部３０１に表示される操作画面（ユーザインターフェース）の表示例を示す図である。
【図８】表示部３０１に表示される操作画面（ユーザインターフェース）の表示例を示す図である。
【図９】表示部３０１に表示される操作画面（ユーザインターフェース）の表示例を示す図である。
【図１０】表示部３０１に表示される操作画面（ユーザインターフェース）の表示例を示す図である。
【図１１】表示部３０１に表示される操作画面（ユーザインターフェース）の表示例を示す図である。
【図１２】表示部３０１に表示される操作画面（ユーザインターフェース）の表示例を示す図である。
【図１３】表示部３０１に表示される操作画面（ユーザインターフェース）の表示例を示す図である。
【図１４】表示部３０１に表示される操作画面（ユーザインターフェース）の表示例を示す図である。
【図１５】表示部３０１に表示される操作画面（ユーザインターフェース）の表示例を示す図である。
【図１６】表示部３０１に表示される操作画面（ユーザインターフェース）の表示例を示す図である。
【図１７】表示部３０１に表示される操作画面（ユーザインターフェース）の表示例を示す図である。
【図１８】表示部３０１に表示される操作画面（ユーザインターフェース）の表示例を示す図である。
【図１９】表示部３０１に表示される操作画面（ユーザインターフェース）の表示例を示す図である。
【図２０】表示部３０１に表示される操作画面（ユーザインターフェース）の表示例を示す図である。
【図２１】表示部３０１に表示される操作画面（ユーザインターフェース）の表示例を示す図である。
【図２２】表示部３０１に表示される操作画面（ユーザインターフェース）の表示例を示す図である。
【図２３】表示部３０１に表示される操作画面（ユーザインターフェース）の表示例を示す図である。
【図２４】表示部３０１に表示される操作画面（ユーザインターフェース）の表示例を示す図である。
【図２５】表示部３０１に表示される操作画面（ユーザインターフェース）の表示例を示す図である。
【図２６】表示部３０１に表示される操作画面（ユーザインターフェース）の表示例を示す図である。
【図２７】表示部３０１に表示される操作画面（ユーザインターフェース）の表示例を示す図である。
【図２８】表示部３０１に表示される操作画面（ユーザインターフェース）の表示例を示す図である。
【図２９】表示部３０１に表示される操作画面（ユーザインターフェース）の表示例を示す図である。
【図３０】表示部３０１に表示される操作画面（ユーザインターフェース）の表示例を示す図である。
【図３１】表示部３０１に表示される操作画面（ユーザインターフェース）の表示例を示す図である。
【図３２】表示部３０１に表示される操作画面（ユーザインターフェース）の表示例を示す図である。
【図３３】本発明の第１の実施形態に係る、画像形成装置１０１が行うプリント処理のフローチャートである。
【図３４】本発明の第３の実施形態に係る、画像形成装置１０１が行うプリント処理のフローチャートである。
【図３５】本発明の第２の実施形態に係る、画像形成装置１０１が行うプリント処理のフローチャートである。
【図３６】本発明の第４の実施形態に係る、画像形成装置１０１が行うプリント処理のフローチャートである。
【図３７】表示部３０１に表示される操作画面（ユーザインターフェース）の表示例を示す図である。
【図３８】表示部３０１に表示される操作画面（ユーザインターフェース）の表示例を示す図である。
【発明を実施するための形態】
【００１１】
以下添付図面を参照して、本発明を好適な実施形態に従って詳細に説明する。
【００１２】
［第１の実施形態］
以下では、コピー機能、プリント機能、ファクシミリ機能等の複数の機能（モードとも呼ぶ）を具備したデジタル複合機能装置としての画像形成装置、及びこの画像形成装置を有する印刷システムについて説明する。
【００１３】
図１は、本実施形態に係る印刷システムの基本構成を示す図である。同図に示す如く、本実施形態に係るシステムは、画像形成装置１０１、サーバコンピュータ１０２、クライアントコンピュータＡ１０３、クライアントコンピュータＢ１０４、他のデジタル複合機１０５、インターネットファクシミリ装置１０６により構成されており、これらの装置はＬＡＮなどのネットワーク１００を介して互いにデータ通信が可能となっている。なお、ネットワーク１００は無線、有線の何れに限定するものではない。
【００１４】
なお、以下の説明の本質はそれぞれの装置の個数に限定されるものではないし、また、画像形成装置１０１を含み、且つこの画像形成装置１０１にジョブを送信することのできる装置が含まれていれば、以下の説明に適用可能なシステムは同図に示す構成に限定するものではない。
【００１５】
次に、画像形成装置１０１について説明する。
【００１６】
画像形成装置１０１は、コピーモードやプリントモードやファクシミリモード等の複数のモード（複数の機能）を具備しており、自装置のスキャナ部で読取ったジョブデータや、クライアントコンピュータＡ１０３、クライアントコンピュータＢ１０４から出力されたジョブデータや、他のデジタル複合機１０５が具備するスキャナから出力されたジョブデータや、インターネットファクシミリ装置１０６から出力されたジョブデータ等を、自装置が具備するハードディスク等の記憶ユニットを介して、自装置が具備するプリンタ部でプリント処理させたり、自装置が具備する通信ユニットを介して他装置へ転送処理させたり、各種の出力処理を実行可能に構成している。
【００１７】
また、画像形成装置１０１が有する印刷機構について説明すると、画像形成装置１０１は、自装置のスキャナ部に、複数枚の原稿を自動的に先頭ページ側から連続的に順次読取可能な自動原稿給送装置（所謂、ＡＤＦ）を具備する。又、画像形成装置１０１は、自装置のプリンタ部に、複数の給紙部（給紙カセット）を具備し、各給紙部毎に、異なるメディアタイプ（記録紙サイズや、記録紙の種類が異なる）の記録紙を収納可能とし、選択的に、ユーザ所望の給紙部からシートを給送し、プリンタ部にて印刷可能にしている。
【００１８】
又、画像形成装置１０１は、プリンタ部にて印刷した記録紙の仕分け処理を行う、所謂、ソート機能や、記録紙に対してステイプル処理を行うステイプル機能や、プリンタ部にて印刷された記録紙に対して穴あけ処理（穿孔処理、パンチ処理とも呼ぶ）を行うパンチ機能や、プリンタ部にて印刷された記録紙の折処理や製本処理を行うサドルステッチ機能を具備しており、このような各種のシート処理機能を実行する為の、シート加工処理装置としてのフィニッシャをプリンタ部に具備している。
【００１９】
図２は、画像形成装置１０１の機能構成を示すブロック図であり、図１と同一のものには同一の符号を付してある。
【００２０】
図２に示す如く画像形成装置１０１は、制御部２０１、スキャナ部２０２、操作部２０３、メモリ２０４、外部通信部２０５、データ処理部２０６、プリンタ部２０７、ハードディスク２０８等の各種ユニットを具備している。
【００２１】
スキャナ部２０２はＡＤＦ等の原稿給送装置を有し、原稿台にセットされた原稿画像の読取処理を実行し、読取った画像データをデータ処理部２０６へ出力する。
【００２２】
操作部２０３はタッチパネル形式の液晶表示部やボタン群により構成されており、画像形成装置１０１の操作者に対する情報表示、及び画像形成装置１０１の操作者による操作入力はこの操作部２０３を介して行われる。メモリ２０４は、制御部２０１が各ユニットを制御する上で必要なプログラムやデータ、画像形成装置１０１が行う後述の各処理を実行する為のプログラムやデータ、各種の管理情報等を記憶する。
【００２３】
外部通信部２０５は、ネットワーク１００を介して各種の外部装置（例えば図１に示したサーバコンピュータ１０２、クライアントコンピュータＡ１０３、クライアントコンピュータＢ１０４、他のデジタル複合機１０５）との各種のデータ（画像データ、コマンドデータ、ステータスリクエスト情報、ステータス情報、時刻データ等）の送受を行う。
【００２４】
データ処理部２０６は、画像データを処理する際のページメモリ等のメモリや画像処理部や外部装置からのＰＤＬデータをビットマップデータに展開する展開部やデータの圧縮処理や伸長処理を行う圧縮・伸長部等を具備し、スキャナ部２０２からのジョブデータ（画像データを含む）や、外部通信部２０５を介して外部装置から入力されたジョブデータを、ジョブデータに対して設定された出力処理条件に従って適宜処理し、処理済み画像データをハードディスク２０８やプリンタ部２０７へ出力したり、外部装置へ送信する場合は外部通信部２０５へ処理済画像データを出力する。
【００２５】
ハードディスク２０８は、複数のジョブデータ（複数の一連の画像データ）を記憶・保持可能な記憶領域を具備し、データ処理部２０６経由で入力されるスキャナ部２０２からのジョブデータや各種の外部装置（例えば図１に示したサーバコンピュータ１０２、クライアントコンピュータＡ１０３、クライアントコンピュータＢ１０４、他のデジタル複合機１０５）からのジョブデータ等を記憶保持可能に構成されている。また、ハードディスク２０８には、制御部２０１に画像形成装置１０１が行う後述の各処理を実行させるためのプログラムやデータが保存されている。そしてハードディスク２０８に保存されているこれらのプログラムやデータは制御部２０１による制御処理に従ってメモリ２０４に読み出され、制御部２０１が各種の処理を行う際に用いる。
【００２６】
プリンタ部２０７は、データ処理部２０６経由で入力されるスキャナ部２０２からのジョブデータや各種の外部装置（例えば図１に示したサーバコンピュータ１０２、クライアントコンピュータＡ１０３、クライアントコンピュータＢ１０４、他のデジタル複合機１０５）からのジョブデータやハードディスク２０８からのジョブデータを、そのジョブに対して設定されたプリント条件に従ってプリント処理する。
【００２７】
なお、あるプリントジョブのプリント動作をプリンタ部２０７に実行させている最中にでも、外部装置（例えば図１に示したサーバコンピュータ１０２、クライアントコンピュータＡ１０３、クライアントコンピュータＢ１０４、他のデジタル複合機１０５）や自装置のスキャナ部２０２から随時プリントジョブデータ（画像データ）を受け付けることができ、受け付けたジョブのデータは逐次ハードディスク２０８に保存される。そしてプリンタ部２０７によるジョブのプリント動作に対して独立且つ並行的に、スキャナ部２０２や外部装置（例えば図１に示したサーバコンピュータ１０２、クライアントコンピュータＡ１０３、クライアントコンピュータＢ１０４、他のデジタル複合機１０５）から他のジョブの入力動作並びにハードディスク２０８への記憶処理を実行可能に、構成している。
【００２８】
尚、以下の説明では、コピー機能のジョブ、プリント機能やファクシミリ受信機能のジョブの何れであっても、プリンタ部２０７にてプリント処理を実行する対象のジョブは総称して「プリントジョブ」と呼称する。
【００２９】
又、制御部２０１は、ＣＰＵやＭＰＵ等のプロセッサを含み、上記各ユニットの動作を制御すると共に、画像形成装置１０１が行う後述の各処理を実行する。
【００３０】
なお、本実施形態では、図２に示す各ユニットが全て画像形成装置１０１内に搭載されているが、これに限定するものではなく、これらの一部を外部に設けるようにしても良い。このような構成としては例えば、ハードディスク２０８等の記憶ユニットが外部装置に設けられているような構成、各ユニットがそれぞれ別個の筐体内に納められているような構成が考えられ、以下の説明は、このような構成を有するシステムであっても適用可能である。
【００３１】
又、制御部２０１は、これら各ユニットの動作状況を把握する為に、各ユニットに問い合わせデータを発行したり、その返信結果データを受信可能に構成しており、各ユニットのステータス状況などを把握できるようにしている。例えば制御部２０１は、スキャナ部２０２からの状態情報に基づき、スキャナ２０２にて原稿読取中であるか否かに関する情報や原稿ジャムが発生していないか等の情報を確認したり、ハードディスク２０８からの状態情報に基づき、ハードディスク２０８にてジョブデータの書き込み中や読出し中であるか等の情報を確認したり、プリンタ部２０７からの情報により、プリンタ部２０７にてプリント中か否か、エラーが発生していないか等の情報を確認したり、外部通信部２０５からの情報により、外部データの受信中であるか、外部装置へデータ転送中であるかに関する情報を確認するなど、各種のステータス情報を取得把握可能に構成している。
【００３２】
次に、制御部２０１により制御される操作部２０３について図３を用いて説明する。
【００３３】
図３は、図２に示した操作部２０３の構成例を示す図であり、図２と同一のものには同一の符号を付してある。
【００３４】
図３において、操作部２０３は、表示部３０１や、ボタン群３０２を具備している。表示部３０１は液晶型タッチパネルで構成されており、各種の情報やボタン画像などを表示すると共に、表示画面上で指示された位置を検知し、制御部２０１に通知する機能を有する。なお、操作部２０３の構成はこれに限定するものではなく、情報表示するための機能と、各種の指示を入力するための機能とを有しているのであれば良い。
【００３５】
次に、ボタン群３０２について説明する。キー３０３は、画像形成装置１０１の電源のオン／オフを指示するためのものであり、操作者がキー３０３を押下する毎に画像形成装置１０１の電源はオン／オフの何れかに切り替わる。スタートキー３０４は、処理の実行を指示するものである。キー３０５はテンキーとして各種の数値入力を行うためのものであり、例えばプリント部数などを入力、設定することができる。ユーザキー３０６は初期設定や管理者設定やタイマ設定等の各種のユーザモード設定画面を表示させる指示を入力する為のものである。尚、ボタン群３０２には、データの受信中の旨を操作者に通知する為の表示部や、エラーが発生した場合にその旨を点滅表示で操作者に通知する為の表示部や、電源がＯＮ状態である旨を操作者に通知する為の表示部なども含まれている。
【００３６】
次に、制御部２０１による表示制御に従って、操作部２０３内の表示部３０１に表示させる各種の操作画面例、及び、この画面を介してなされたユーザ操作に基づいた各種の動作制御例について図４〜図３２を用いて説明する。
【００３７】
図４〜図３２は、図３に示した表示部３０１に表示される操作画面（ユーザインターフェース）の表示例を示す図である。
【００３８】
図４に示すように、液晶表示部３０１に表示させる表示画面４００は主に、３つの表示構成要素に大別される。なお、図４は、表示画面の構成を大まかに説明するための図であって、図４は実際の表示画面で表示されるもの全てを示しているわけではない。
【００３９】
４０１は機能選択部で、コピーモード、送信モード、ファクシミリモード、ボックスモード、拡張モード等を含む、画像形成装置１０１が具備する複数の動作モード（機能とも呼ぶ）の中から所望の動作モードを操作者に選択されるための操作指示キー（操作ボタン）を具備する。
【００４０】
４０２は処理条件設定部で、機能選択部４０１を用いて操作者により選択された動作モードで処理対象となるジョブデータ（画像データ）に対して各種の処理条件（例えば印刷設定パラメータ等。図５参照）を操作者に設定させるための操作指示キーを具備する。
【００４１】
４０３はステータス表示部で、画像形成装置１０１の動作状況を示す各種のステータス情報（画像データ読込中、プリント中などの動作状況情報、原稿ジャム、記録紙ジャム、ステイプルジャム等の各種のエラー情報、トナー切れ、紙なし等の各種の警告情報などを含む）を操作者に通知確認可能にする為のものである。
【００４２】
このように、表示部３０１に表示させる表示画面の内容としては、これら３つの表示構成要素を有す。処理条件設定部４０２は、機能選択部４０１で選択されたモードに応じた表示内容となるよう表示制御される。機能選択部４０１は、他の画面に遷移しても機能できるように（例えば、他の画面に移行しても機能選択部４０１が表示されているような操作画面で、機能を選択できる構成）表示制御される。ステータス表示部４０３は、どの画面に遷移しても常に画像形成装置のステータス情報がユーザにより確認できるように（例えば、どの画面に切り替えてもステータスライン４０３が表示部に表示されているような状態にする）表示制御される。
【００４３】
本画像形成装置１０１は、スキャナ部２０２からのジョブデータ（画像データとも呼ぶ）をハードディスク２０８等のメモリを介してプリンタ部２０７でプリントさせるコピーモードを有する。又、クライアントコンピュータＡ１０３、クライアントコンピュータＢ１０４、他のデジタル複合機１０５、ファクシミリ装置１０６等の外部装置からのジョブデータをハードディスク２０８等のメモリを介してプリンタ部２０７でプリントさせる外部プリントモードも有する。又、スキャナ部２０２から出力されたジョブデータや外部装置から出力されたジョブデータをハードディスク２０８内部の所定の記憶領域（ボックス領域とも呼ぶ）に格納保持させ、このボックスへのジョブデータの格納後、操作部２０３から所望のジョブデータを選択して、その時点で、プリンタ部２０７でプリントさせたり、外部通信部２０５により外部装置へ送信処理させることが可能なボックスモードも有する。このように本実施形態の画像形成装置１０１は、少なくとも２つの動作モードを含む複数の動作モードを具備しているが、本実施形態はこれに限らず、いずれか１つの動作モードのみを有する単一機能の画像形成装置であっても良い。
【００４４】
次に、画像形成装置１０１が行うプリント処理について説明する。画像形成装置１０１のハードディスク２０８に入力されるプリントジョブは上述の通り、外部装置から送信されたものや自身が有するスキャナ部２０２から入力されたものがある。ハードディスク２０８に入力されたプリントジョブは逐次ハードディスク２０８に蓄積されていくのであるが、プリントジョブには「セキュアジョブ」と「非セキュアジョブ」とがある。
【００４５】
「セキュアジョブ」とは、入力したパスワードが認証された場合にのみプリントが許可されるジョブを差す。例えば、本形態では、コンピュータ等や他の画像形成装置装置等の外部装置、及び／又は、自装置のスキャナユニット、等の何れかのデータ発生源から受付けたジョブのデータを、直ちに、プリンタ部にてプリントせずに、例えば、自装置のハードディスク等のメモリに、該ジョブデータを保持しておき、該メモリへのジョブデータの格納後、本画像形成装置の操作部等のユーザインターフェースを介して、そのジョブの印刷を希望するユーザにより、パスワード等の認証データを入力させ、そのジョブの為に予めセットされている認証データに合致する認証データが該画像形成装置のユーザインターフェースを介して入力された事を条件に、該画像形成装置のコントローラが、該ハードディスクに保持しておいたジョブデータの印刷処理を実行させるよう制御する。換言すると、該セキュアジョブは、適正な認証処理（メモリに保持しているジョブの為の認証データに適応する認証データを画像形成装置側においてユーザにより入力させる処理を含む）が画像形成装置にて実行されないかぎり、該画像形成装置のメモリにロックした状態で保持しておき、勝手にメモリから読み出してプリントすることを禁止する対象のジョブである。
【００４６】
一方、「非セキュアジョブ」に基づいてプリント処理を行う場合には、パスワードの入力は必要ない。即ち、例えば、通常プリントモードのジョブがこれに該当する。換言すると、画像形成装置のメモリに投入した後に画像形成装置にて認証処理等を実行する事無く、自動的に（オペレータがメモリに投入した後に明示的に印刷指示を行う等のオペレータの介入操作無しに）、プリントすることを許可する対象のジョブである。
【００４７】
よって例えばクライアントコンピュータＡ１０３からプリントジョブを画像形成装置１０１に対して送信する際には、クライアントコンピュータＡ１０３側でこのジョブがセキュアジョブであるのか非セキュアジョブであるのかを、例えば、コンピュータのディスプレイに表示させるプリンタドライバ等を介して、コンピュータ側のユーザにより設定可能にする。このジョブをセキュアジョブに設定する場合には、例えばプリンタドライバを介して、コンピュータ側のユーザによりパスワードを決めさせ、コンピュータから本画像形成装置にプリントジョブを送信する際に、セキュアプリントモードのジョブである事を示すコマンドデータをジョブのデータ（印刷対象となるドキュメントデータ）に添付して送信するよう構成する。そして画像形成装置１０１は、受けたジョブのデータを順次待ち行列の形態でもってハードディスク２０８に格納する。
【００４８】
なお、ジョブをハードディスク２０８に格納後、このジョブをセキュアジョブにすべく、操作部２０３を用いて設定しても良い。その場合には、コンピュータＡ１０３側で行った操作と同様の操作を行い、パスワードを設定する。パスワードを設定すると、制御部２０１はこのパスワードをジョブのデータに添付することにより、このジョブをセキュアジョブに設定することができる。
【００４９】
また、ハードディスク２０８には予め、「ボックス」（フォルダに対応）に格納するデータを保持するための記憶エリアが設けられており、このような「ボックス」は複数ある。例えば、操作者ＡがボックスＡを作成すると、この操作者Ａが画像形成装置１０１を操作し、スキャナ部２０２からプリントジョブを受けると、このジョブのデータはボックスＡに格納される。画像形成装置１０１の操作者が操作者Ａであるのか否かについては、例えば本装置の使用前にパスワードを入力させ、認証すれば操作者が操作者Ａであると判断するようにしても良い。従って、ボックス単位で「セキュアジョブを格納するためのボックス」、「非セキュアジョブを格納するためのボックス」というように設定しても良い。この場合、「セキュアジョブを格納するためのボックス」として設定されたボックスに格納されるジョブは即ち、セキュアジョブであることになる。
【００５０】
いずれにせよ、プリントジョブのデータはハードディスク２０８に逐次保存されることになる。
【００５１】
なお、機能選択部４０１の「コピー」を選択すると、プリントジョブのデータを待ち行列に追加して登録するし、「ボックス」を選択すると、プリントジョブのデータを何れかのボックスに登録する。
【００５２】
以下では「コピー」を選択した場合（コピーモード）、「ボックス」を選択した場合（ボックスモード）のそれぞれについてのプリント処理について説明する。
【００５３】
次に、本形態の画像形成装置１０１が具備する試し印刷機能を用いたジョブ処理を、該装置の制御部２０１による制御のもと、画像形成装置により実行させる場合の一例を説明する。ここでは、該画像形成装置が具備するスキャナ２０２から入力したジョブのデータを該装置のハードディスク２０８を介してプリンタ部２０７によりプリントさせるコピーモードのジョブを用いて説明する。
【００５４】
まず、操作部２０３にてユーザによりコピーモードが選択された場合に、これを受け、制御部２０１は、操作部２０３の表示部３０１に、図４に示す操作画面を表示させる。制御部２０１は、表示部に、印刷対象となるジョブの出力用紙サイズの設定や、出力部数の設定や、印刷倍率の設定や、両面印刷するか片面印刷するかの印刷設定や、ソート処理、ステイプル処理、パンチ処理、製本処理の少なくとも何れかのシート処理をプリントしたシートに対して実行させる為の指示に関するフィニッシングの設定、等の各種の印刷条件を出力対象となるジョブに対してユーザにより設定可能にする為の表示画面を表示させる。尚、図４の画面の応用モードキーがユーザにより押下された場合には、図５の表示画面を表示させ、図４の画面に表示していないその他の各種印刷条件（ページ連写や表紙／合紙、縮小レイアウトなどの各種設定）をユーザにより設定可能にする。
【００５５】
図４の操作画面を表示部３０１に表示した状態で、ユーザがジョブ（例えば、原稿４ページからなるジョブとする）に対する印刷条件として次の各種設定を行ったとする。
【００５６】
（条件１）  出力部数として、操作部２０３のテンキー３０５を用いて「５」部を設定。
【００５７】
（条件２）  出力倍率は、原稿画像サイズと等倍（100％）
（条件３）  フィニッシングの設定として「ステイプル」を、タッチパネルキーを介して設定。
【００５８】
（条件４）  印刷面に関する設定として、「両面印刷」を、タッチパネルキーを介して設定。
【００５９】
以上のような、複数の印刷条件パラメータを有する一連の印刷条件が図４の操作画面等を介して、ユーザにより、出力対象となる上記４ページ分の画像データからなる上記ジョブデータに対して設定されたとする。これを受け、制御部２０１は、該ジョブに対して設定された内容をオペレータに確認可能にすべく、図６のような設定画面を表示させるよう制御し、且つ、図６の画面の試しコピーキー（試し印刷キーとも呼ぶ）1を介して、上記ジョブの試し印刷動作を本画像形成装置により実行させる指示を、ユーザにより受付可能にする。
【００６０】
図４の画面と図６の画面を比較しても分るように、制御部２０１は、図６の操作画面上には試し印刷キー（試しコピー）キー１を表示させるよう制御している。これは、ユーザにより設定された印刷条件の設定内容として、出力部数が２部以上である事、及び、ステイプルやソート等の仕分け設定を行う事、等の条件が含まれている場合に、該試し印刷キー1を操作部に表示させるよう制御し、該試し印刷キーを介して、上記設定した印刷条件に従って試し印刷を実行させるようユーザにより指示可能にしている。
【００６１】
このように、本形態では、上記条件を満たした場合（設定された出力部数が２部以上の場合、及び、フィニッシングの設定がＯＮの場合、の少なくとも何れかの場合）に、上記試し印刷キー１を表示して（図６のＵＩ参照）試し印刷機能の実行を許可するよう制御する。
【００６２】
その一方で、上記条件を満たさない場合（設定された出力部数が１部の場合、及び、フィニッシングの設定がＯＦＦの場合の、少なくとも何れかの場合）には、上記試し印刷キーを表示部３０１に表示することを禁止して、試し印刷機能の実行を禁止するよう制御している。これは、たとえば、出力部数が１部の場合には、そもそも、試し印刷であろうが、本印刷であろうが、印刷動作自体に変化がなく、印刷条件を設定変更して、やり直すにしても、簡単にユーザにより印刷条件の設定変更が可能であり、尚且つ、そもそも、印刷部数が１部数分しかプリントしないならば、そもそも無駄な出力も起こりえない事等に着目し、余計な混乱をユーザに与えないようにする為の、ユーザへの配慮を考えたうえでの仕様である。
【００６３】
図６の説明に戻る。図６の表示画面を表示部３０１に表示させた状態で、ユーザにより該画面上の試し印刷キー1が押下されることにより試し印刷実行指示が入力され、図３の操作部２０３のスタートキー３０４が押下されると、これを受け、制御部２０１は、以下のような、上記ジョブの試し印刷動作を画像形成装置により実行させる。
【００６４】
スキャン２０２のドキュメントフィーダにセットされている上記ジョブの４ページ分の原稿画像データをスキャン処理を開始して、ハードディスク２０８に順次、１ページずつデータを格納させる。そして、該ハードディスク２０８に取り込んだ上記４ページ分の画像データを有するジョブの処理として、倍率は原稿画像のサイズと等倍で、該ジョブの１頁目と２頁目を1枚目の記録紙（Ａ４サイズの記録紙）の各面にプリントし、その１枚目の記録紙を、1頁目が下向きの状態で処理トレイに排出し（フェイスダウン排紙を行い）、次いで、該ジョブの３頁目と４頁目を２枚目の記録紙（Ａ４サイズの記録紙）の表裏にプリントし、その２枚目の記録紙を同様の排紙形態で排出する。そして、２枚の記録紙が処理トレイにスタックされたら、フィニッシャが具備するステイプラにより該２枚の記録紙からなるシーと束に対してステイプル処理を実行するよう制御する。そして、該処理が完了したことを排紙センサからの情報により判断したら、該制御部２０１は、該ジョブの印刷動作を一時中断状態にする。
【００６５】
以上のように、試し印刷モードにおいては、上記ジョブを、上述のユーザにより設定された複数の印刷条件パラメータのうちの、出力部数に関する印刷設定は無視し、それ以外の印刷条件には従った印刷動作を画像形成装置により実行させる。即ち、試し印刷モードにおいて上記ジョブは、倍率を100％、用紙サイズをＡ４サイズ、両面印刷する、ステイプルする、出力部数は１部、で、処理するよう制御する。
【００６６】
尚、制御部２０１は、上記試し印刷動作中において、該ジョブの処理状況をユーザに通知すべく例えば、図７のような操作画面を表示部３０１に表示させるよう制御する。この例だと、上記ジョブは受付け番号が０００６として処理され、図７の画面では印刷部数が１部である事、及び、現在、上記ジョブの１頁目の画像をプリントしている際中であることをユーザに報知している例である。
【００６７】
そして、本形態では、この１部数分の出力物をユーザにより確認させることで、所望の印刷結果であるかどうかを確認させ、その上で、ユーザにより、該ジョブの印刷動作を、そのまま印刷条件を設定変更することなく、続行するか、印刷条件を設定変更して印刷動作をあらためてやり直しさせるか、あるいはこのジョブの印刷処理自体をキャンセルさせる等の、各種の指示を選択的にユーザから操作部２０３の表示部３０１を介して受付可能にする。
【００６８】
尚、もしユーザが図６の画面において試し印刷キー１を押下せずに、試し印刷動作指示を入力せずに、操作部２０３のスタートキー３０４を介して印刷実行指示を入力した場合には、これを受け、制御部２０１は、上記ジョブの印刷動作として、上記ユーザにより設定された全ての印刷条件に従って、印刷処理を実行させるよう制御する。即ち、この例では、倍率を100％、用紙サイズをＡ４サイズ、両面印刷する、ステイプルする、出力部数は５部、で、処理するよう制御する。
【００６９】
そして、本形態では、上述のように、印刷実行前にユーザにより画像形成装置の操作部２０３を介して認証データの入力等の認証処理を実行した上でプリント開始を許可するセキュアプリントモードのジョブと、印刷実行前にユーザにより画像形成装置の操作部２０３を介して認証データの入力等の認証処理を実行することなくプリント開始を許可する非セキュアプリントモードのジョブの両方を、受付可能にしている。加えて、そのために、処理対象となるジョブに対してセキュアプリントモードを設定するか、非セキュアプリントモードを設定するかを、ユーザにより実行可能にしている。尚且つ、処理対象となるジョブに対して上記のように試し印刷モードを設定するか否かをも、あわせて、ユーザにより設定可能にしている。
【００７０】
このような構成のもと、制御部２０１は、試し印刷モードが設定されたジョブに関して、該ジョブが、セキュアプリントモードがユーザにより設定されたセキュアジョブであると判断した場合には、上記のような試し印刷モードにおける試し印刷動作を実行してから、試し印刷したジョブの為の上述の指示（印刷条件を設定変更するか、そのままの印刷条件で、残りの出力部数分、印刷動作を続行させるか、印刷処理をキャンセルするか等の各種試し印刷実行後のユーザからの選択的な指示）をユーザから受付ける前の期間において、該試し印刷処理を開始する前に実行した認証処理を、再度、実行するよう、制御する。
【００７１】
一方、試し印刷モードが設定されたジョブに関して、該ジョブが、セキュアプリントモードがユーザにより設定されていない非セキュアジョブであると判断した場合には、制御部２０１は、上記のような試し印刷モードにおける試し印刷動作を実行してから、試し印刷したジョブの為の上述の指示をユーザから受付ける前の期間において、認証処理を実行することを禁止して、該指示をユーザにより受付可能に制御する。
【００７２】
即ち、上記ジョブが、もしセキュアプリントジョブである場合には、例えば、試し印刷動作が完了した事に応じて、制御部２０１は、操作部２０３の表示部３０１の表示内容を、図７のジョブ処理状況画面から不図示のパスワード入力要求画面に切り換えるよう制御する。そして、この不図示の認証データ入力要求画面を介して、上記ジョブの試し印刷動作を開始することを許可する為の条件として試し印刷動作開始前に入力させたパスワード等の認証データと合致する認証データがユーザにより入力されない限り、図８の設定画面を表示するこを禁止する。これにより、試し印刷処理を行ったセキュアジョブの該試し印刷処理後の該ジョブに対する各種の処理（印刷設定変更する、設定変更せずに本番用の印刷処理を開始する、印刷自体をキャンセルする等の何れかの処理）を画像形成装置により実行することを禁止するよう制御する。一方、不図示の認証データ入力要求画面を介して、上記ジョブの試し印刷動作を開始することを許可する為の条件として試し印刷動作開始前に入力させたパスワード等の認証データと合致する認証データがユーザにより入力されたことに応じて、制御部２０１は、表示部３０１の表示を、該パスワード入力要求画面から図８の設定画面に切り換えるよう制御し、該画面を介してユーザからの各種指示を選択的に受付け可能にし、該ユーザからの指示に応じた処理（設定変更、或いは、残りの部数分を印刷する本番用印刷処理、或いは、キャンセル）を、上記試し印刷処理を実行したセキュアジョブに対して実行することを許可するよう制御する。
【００７３】
また、更に一方、上記ジョブがもし非セキュアプリントジョブの場合には、制御部２０１は、例えば、上記ジョブの試し印刷動作が完了した事に応じて、操作部２０３の表示部３０１の表示内容を、上記のような不図示の認証データ入力画面を表示することを禁止して、図７のジョブ処理状況画面から、そのまま、図８の操作画面に切り換えるよう制御し、該画面を介して、ユーザから、試し印刷実行後の各種指示を選択的に受付可能にし、該ユーザからの指示に応じた処理（設定変更、或いは、残りの部数分を印刷する本番用印刷処理、或いは、キャンセル）を、上記試し印刷処理を実行した非セキュアジョブに対して実行することを許可するよう制御する。
【００７４】
図８の説明に戻る。制御部２０１は、試し印刷したジョブの処置として印刷条件を設定変更する為の指示をユーザにより受付る為のキー（図８の設定変更キー2）と、印刷条件を設定変更せずに、このまま本番用の印刷動作を実行させる為の指示をユーザにより受付ける為のキー（図８のプリント開始キー）と、該ジョブの印刷処理自体をキャンセルさせる為の指示をユーザにより受付ける為のキー（図８の中止キー）を具備する図８の操作画面を、表示部３０１に表示させるよう制御する。
【００７５】
尚、制御部２０１が、図８の操作画面を表示させるタイミングは、上述したように、例えば、試し印刷処理対象のジョブが非セキュアプリントジョブである場合には、試し印刷処理が完了したことを各種装置内部の検知ユニットにより確認したことに応じて、図８の操作画面を表示させる。一方、試し印刷処理対象のジョブがセキュアプリントジョブである場合には、該ジョブの試し印刷処理が完了し、且つ、該ジョブの為に試し印刷処理の開始前に本画像形成装置にて実行させた認証処理が、再度、試し印刷完了後に、実行されたことを確認したこと確認したこと（例えば、試し印刷処理を開始することを許可する条件である、試し印刷処理前にユーザにより操作部２０３を介して入力されたパスワードが、再度、試し印刷処理完了後の不図示のパスワード入力要求画面を介して、入力されたこと）に応じて、図８の操作画面を表示させるよう制御する。
【００７６】
図８の画面を表示した後は例えば次のような動作を行う。ここでは、図４〜図７を用いて説明した受付番号０００６の４ページかなる上記ジョブを用いて引き続き説明する。
【００７７】
上述したように、この試し印刷処理がなされた、受付け番号０００６のジョブは、図６の表示画面のキー１からの指示により試し印刷処理を行う前の段階において、ユーザにより、印刷条件として、「出力部数：５部、出力用紙：Ａ４サイズ、倍率：等倍（１００％）、フィニッシィング設定：ステイプルする、両面印刷設定：両面印刷する」という複数の印刷条件パラメータが設定されていた。
【００７８】
このような前提のもと、図８の画面を介して「プリント開始」キーがユーザにより押下され、本番用の印刷動作として、印刷条件を設定変更せずにそのままの印刷条件でもって印刷動作を開始させる指示が入力されたとする。この場合は、制御部２０１は、ハードディスク２０８に保持している上記ジョブの画像データを用いて、プリント動作をユーザにより設定された印刷条件を設定変更せずに、プリント動作を実行させるよう制御する。
【００７９】
ただし、上記ユーザからの先の印刷条件のうちの「出力用紙：Ａ４サイズ、倍率：等倍（１００％）、フィニッシィング設定：ステイプルする、両面印刷設定：両面印刷する」という印刷条件に従った印刷処理を、実行させるが、その出力部数は４部数分のみ実行させる。即ち、先の設定ではユーザから印刷部数５部が指定されているものの、この置数をそのまま採用せず、このユーザにより指定された印刷部数から１部数分減算した出力部数分（この例では、５部―１部＝４部）のプリント動作を、該ユーザの印刷部数の設定以外の印刷条件に従って実行するよう制御する。
【００８０】
これは、ユーザが試し印刷した結果、とくに印刷条件を変更する必要もなく、所望の印刷結果であるが故に、印刷動作を指示したわけであるから、試し印刷にて出力した分も、最終成果物の1つとして、取り扱うことが出来るようにしたもので、極力無駄な出力を無くすようにする為のユーザメリットを考慮した上での仕様である。即ち、この例では、設定変更せずに出力した残りの４部分のプリント結果と、試し印刷で出力した１部数のプリント結果の両方を採用することで、結果として、ユーザは、所望とする出力結果を５部得ることが出来る。
【００８１】
このような一連の処理（第1のシーケンスとも呼ぶ）を、制御部２０１は、試し印刷後実行後に、上述の各種条件を満足することを条件（試し印刷したジョブが非セキュアジョブであるという条件、試し印刷したジョブがセキュアジョブであり、且つ、試し印刷完了後に該セキュアジョブの為の認証処理が実行されたという条件等）、表示部３０１に表示することを許可した図８の表示画面における「プリント開始」キーが、ユーザにより押下されたことに応答して、実行するよう制御する。
【００８２】
図１５は、このように、試し印刷後設定変更無しで本番用の印刷を開始させた場合のその印刷状況をユーザに通知する画面であり、受付け番号０００６のジョブは、試し印刷後設定変更無しの為出力部数が「４」となり、現在、２部目の１頁目の印刷を実行中であることをユーザに通知している例である。
【００８３】
一方、図８の画面の「設定変更」キー２のユーザ押下により、該受付け番号０００６のジョブの設定変更指示が、ユーザにより入力された場合には、これを受け、制御部２０１は、例えば、図９の表示画面等を表示部３０１に表示させ、該ジョブの印刷条件の設定変更をユーザにより実行可能に制御する。図９の例では、出力部数の変更や、該ジョブの為に用いる用紙の設定変更や、プリント濃度の設定変更や、綴じ代の設定変更や、フィニッシングの設定変更や、両面印刷か片面印刷かの設定変更をユーザにより実行可能にする。尚、このジョブは最初に出力部数として「５」部がセットされているので、図９のように、出力部数の設定変更をするにしても、そのデフォルト値を、該ユーザの試し印刷前に設定した出力部数に対応するよう「５」とするよう表示部３０１を制御する。
【００８４】
図９の画面において、例えば、上記試し印刷した受付け番号０００６のジョブの複数の印刷条件からなる一連の印刷条件のうちの、フィニッシングの設定変更を行いたい場合には、図９の画面の「ソータ」キー３を押下する。この操作がユーザによりなされたら、制御部２０１は、図１０の画面に表示を切り換え、その他のフィニッシングに設定変更（例えば、ステイプルする設定からパンチ処理するに設定変更する等）や、フィニッシィングの設定自体をキャンセルする設定などを可能にする（この例だと、フィニッシィングの設定を「ステイプルする」から「ステイプルしない」に変更）。
【００８５】
同様に、図９の画面のキー４がユーザに操作された場合には、図１１の画面に遷移し、図１１の画面等を介して、両面印刷に関する各種の設定変更（綴じ方向の変更や、両面印刷自体をキャンセルし、片面印刷する設定に変更するなど）を可能にする。
【００８６】
ここでは、上記ジョブの設定変更として、「両面印刷する」から「片面印刷する」に設定変更が行われたとする。
【００８７】
ユーザにより設定変更が完了したことに応答し、制御部２０１は、図１２の画面を表示部３０１に表示させる。図９と図１２の違いは、最初に設定変更画面を表示した際にはキー４が選択状態（ＯＮ表示状態）となっており「両面印刷する」という設定状態であったのに対して、図１２では該キー４が非選択状態になっており「両面印刷する」がキャンセル、即ち、片面印刷するという設定がなされている状態を示している。図１２の「閉じる」キー５がユーザにより押下されると、図１３の画面を表示部３０１に表示させる。そして、図１２の「プリント開始」キー６がユーザにより押下されると、制御部２０１は、上述のような試し印刷後のユーザによる設定変更後の印刷条件に従った印刷処理を、実行するよう画像形成装置を制御する。
【００８８】
即ち、この例では、「出力部数：５部、出力用紙：Ａ４サイズ、倍率：等倍（１００％）、フィニッシィング設定：ステイプルする、両面印刷設定：両面印刷しない（片面印刷する）」という印刷条件でもって、上記受付け番号０００６のジョブの印刷処理を実行する。尚、ここでの出力部数は、上述した瀬って変更無しの場合とは異ならせ、出力部数は「５部」のままとする。これは、先ほどとは異なり、試し印刷した結果を見たユーザが設定変更指示を入力したわけであるから、試し印刷した印刷物は、最終成果物に勘定されない状況を想定し、あらためて、最初に指定された出力部数部である５部数分プリントするようにしている。これにより、操作性を向上させている。ただし、図９の画面において出力部数が変更されたのならば、その設定変更後の出力部数に従った印刷処理を実行する。
【００８９】
このような一連の処理（第２のシーケンスとも呼ぶ）を、制御部２０１は、試し印刷後実行後に、上述の各種条件を満足することを条件（試し印刷したジョブが非セキュアジョブであるという条件、試し印刷したジョブがセキュアジョブであり、且つ、試し印刷完了後に該セキュアジョブの為の認証処理が実行されたという条件等）、表示部３０１に表示することを許可した図８の表示画面における「設定変更」キーが、ユーザにより押下されたことに応答して、実行するよう制御する。
【００９０】
図１４は、このジョブの設定変更がなされた上での本番用の印刷処理を実行している最中の画面であり、このように、処理対象となる受付け番号０００６のジョブの印刷状況をユーザに通知させる。例えば、ここでは、設定変更されたので、出力部数は「５部」であり、現在、２部目の１頁目を印刷している最中である事をユーザに通知している。
【００９１】
尚、図１３の画面上のキー１３０２が押下されたら、再度、設定変更後の印刷条件でもって、ただし、出力部数は１部数分の、試し印刷処理を、上記受付け番号０００６のジョブに対して実行するよう制御する。このように、試し印刷後において設定変更した場合でも，再度、設定変更後の印刷条件でもって試し印刷を可能にループ構造の制御を実行することで、更に使い勝手を向上させている。
【００９２】
更に、一方、図８の画面において「中止」キーが押下された場合には、制御部２０１は、この試し印刷処理した受付け番号０００６のジョブの印刷処理自体をキャンセルし、処理を全て終了する。この場合、制御部２０１は、例えば、表示部３０１の表示を、初期画面（図４の画面）に戻すよう制御し、該受付け番号０００６のジョブの画像データをハードディスク２０８から消去するよう制御する。
【００９３】
このような一連の処理（第３のシーケンスとも呼ぶ）を、制御部２０１は、試し印刷後実行後に、上述の各種条件を満足することを条件（試し印刷したジョブが非セキュアジョブであるという条件、試し印刷したジョブがセキュアジョブであり、且つ、試し印刷完了後に該セキュアジョブの為の認証処理が実行されたという条件等）、表示部３０１に表示することを許可した図８の表示画面における「設定変更」キーが、ユーザにより押下されたことに応答して、実行するよう制御する。
【００９４】
以上のように、本形態では、試し印刷後のジョブに対する処理として「印刷条件を設定変更する。その上で、本番用の印刷を行う」という一連の動作（第1シーケンス）や、「印刷条件を変更せずに、そのまま、本番用の印刷を行う」という一連の動作（第２シーケンス）や、「印刷処理自体をキャンセルする」という動作（第３シーケンス）を、図８の画面等を介して、ユーザから指示に基づき、選択的に実行可能に画像形成装置を制御しているが、制御部２０１は、試し印刷対象のジョブがセキュアジョブであるならば、このような試し印刷後の該ジョブに対する操作を、ユーザの介入操作を含んだ上記認証処理を、試し印刷後に実行したこと（試し印刷開始前に実行した認証処理と同じ認証処理を、試し印刷後に再実行すること）を条件に許可する。一方、ユーザの介入操作を含んだ上記認証処理が、試し印刷後になされない場合には、該セキュアジョブの試し印刷後のジョブ操作を禁止するよう制御する。尚且つ、制御部２０１は、試し印刷対象のジョブが非セキュアジョブであるならば、ユーザの介入操作を含んだ上記認証処理を実行させること無しに、このような試し印刷後の該ジョブに対する操作を許可する。
【００９５】
このように構成することで、本形態では、セキュアジョブに基づいて試し印刷を行う場合であっても、印刷される文章の機密性を保持することができ、セキュアジョブの秘匿性を試し印刷実行後でも引き続き維持することが出来る。加えて、セキュアジョブの試し印刷後のセキュリティを維持するが為に、セキュアジョブ以外の例えば、非セキュアジョブを試し印刷した場合に使い勝手が低下する等の問題が起きるのを未然に防止でき、セキュアジョブを試し印刷した後でもセキュリティを維持するという効果と、非セキュアジョブを試し印刷する際の使い勝手の向上させるという効果との、両立を、実現できる。
【００９６】
＜ボックスモード＞
図１６は、画像形成装置１０１の各操作者毎に設けられたボックスを一覧表示するための画面の表示例を示す図であり、機能選択部４０１の「ボックス」を選択すると表示される画面である。同図では、「ｎａｇａｓｈｉｍａ」、「ｕｓｈｉｙａｍａ」、「ｈａｒａ」なる３つのボックスが表示されている。即ちこれら３つのボックスは、３名の操作者のそれぞれの為のものである。それぞれのボックスにはユーザ名が付けられている。ここで、「ｕｓｈｉｙａｍａ」のボックス７には鍵のマークが付けられており、このボックスに格納されているジョブをプリントする場合にはパスワードの入力が必要であることを示している。即ち、「ｕｓｈｉｙａｍａ」のボックスにはセキュアジョブが格納されていることになる。
【００９７】
一方、図１６の画面上の「ｎａｇａｓｈｉｍａ」のボックスや、「ｈａｒａ」のボックスには、鍵のマークが付けられていない。このボックスは、上記「ｕｓｈｉｙａｍａ」のボックスとは対照的に、これらのボックスに格納されているジョブをプリントする場合にはパスワードの入力が不必要であることを意味する。即ち、これらのボックスに格納されているプリントジョブは非セキュアプリントジョブに該当する。
【００９８】
このように、本形態では、画像形成装置が具備するハードディスク２０８内に複数の仮想的なボックスを設けておき、各ボックス毎に「パスワードを設定する／パスワードを設定しない」を予め初期設定としてユーザにより登録することを可能としており、本形態では、パスワード付きのボックスに格納されるジョブはセキュアプリントジョブとして扱い、パスワード無しのボックスに格納されているジョブは非セキュアプリントジョブとして取り扱うものとする。
【００９９】
尚、本形態は、このように、ボックスというくくりで、セキュアジョブか非セキュアジョブかを決定する構成のみならず、1つのプリントジョブ毎に、セキュアプリントジョブとするか非セキュアプリントジョブとするかを、ジョブ単位に設定することも可能である。例えば、上述のように、ホストコンピュータにてプリンタドライバを介してプリントジョブを生成するような場合には、プリンタドライバ上でセキュアジョブにするか非セキュアジョブにするかを、ジョブ毎に、設定可能にする。このように、如何なる構成でも良い。
【０１００】
ここで、例えば操作者が自身の指などでもってボックス７を指示すると、制御部２０１はこれを検知し、表示部３０１の画面を図１７に示す画面に切り替える。図１７において８はパスワードを入力するためのウィンドウで、１７０１はパスワードを入力するための領域、１７０２はパスワードを入力した後に指示することでパスワードの認証を指示するためのボタン画像である。
【０１０１】
領域１７０１に操作部２０３を用いてパスワードを入力し、ボタン画像１７０２を指示すると、制御部２０１はこれを検知し、領域１７０１に入力されたパスワードの認証を行う。この認証処理は、予めこのボックス（「ｕｓｈｉｙａｍａ」のボックス）について付けられたパスワードと、領域１７０１に入力されたパスワードとの照合を行うことによりなされる。
【０１０２】
そして領域１７０１に入力されたパスワードが認証されると（「ｕｓｈｉｙａｍａ」のボックスについて付けられたパスワードと一致すると）、制御部２０１はこれを検知して表示部３０１の表示を図１８に示す画面に切り替える。
【０１０３】
図１８に示す画面は、「ｕｓｈｉｙａｍａ」のボックス内に保持されたジョブ群を一覧表示するリスト９を表示している画面であり、操作者は操作部２０３を用いてリスト９に表示されているジョブ群（同図では３つのジョブ）のうち、プリントするジョブを選択する。以下の説明では例として文書名が「ドキュメント２」なるジョブを選択したとする。ジョブを選択すると、制御部２０１はこれを検知し、表示部３０１の表示を図１９に示す画面に切り替える処理を行う。
【０１０４】
そして、操作者が「プリント」のボタン画像１０を自身の指などでもって指示することで、制御部２０１はこれを検知し、表示部３０１の表示を図２０に示した画面に切り替える処理を行う。
【０１０５】
図２０において１１はプリント設定の変更を行うためのボタン画像で、これを操作者が自身の指などでもって指示することで、制御部２０１はこれを検知し、表示部３０１の表示を図２１に示す画面に切り替える処理を行う。同図の画面ではソータの設定や、両面、片面といった印刷面に係る設定、プリント部数の設定等を行うことができる。ここでは同図の画面で、ソータを「パンチソート」に、両面プリントを「行う」、プリント部数を「１２」というように設定する。設定すると、制御部２０１はこれを検知し、表示部３０１の表示を図２２に示す画面に切り替える。
【０１０６】
図２２の画面において「プリント開始」のボタン画像を指示すると、制御部２０１はこれを検知し、表示部３０１の表示を図２３に示す画面に切り替えると共に、プリントジョブに基づいたプリントを行う。
【０１０７】
また同図において１３は試しプリント（試しコピー）を指示するためのボタン画像で、これを操作者が自身の指などでもって指示することで、リスト９で選択したジョブの試しプリントを指示することができる。ここで、操作者が自身の指などでもってボタン画像１３を指示すると、制御部２０１はこれを検知して、表示部３０１の表示を図２４に示す画面に切り替え、ここで操作者が「プリント開始」のボタン画像を指示すると、制御部２０１はこれを検知し、表示部３０１の表示を図２５に示す画面に切り替えると共に、試しプリントを行う。試しプリントを行うとは、リスト９で選択したジョブに従って一部をプリントするということである。プリントする部数については一部に限定するものではないが、操作部２０３でもって設定したプリント部数以下の部数である。
【０１０８】
そして一部のプリントが完了すると、制御部２０１はこれを検知して、表示部３０１の表示を図２６の画面に切り替える処理を行い、以降の処理の許可を目的とするパスワードの入力を促す。図２６において１４はパスワードを入力するためのウィンドウで、２６０１はパスワードを入力するための領域、２６０２はパスワードを入力した後に指示することでパスワードの認証を指示するためのボタン画像である。なお、プリントジョブがセキュアジョブではない場合には図２６の画面は表示しない。
【０１０９】
領域２６０１に操作部２０３を用いてパスワードを入力し、ボタン画像２６０２を指示すると、制御部２０１はこれを検知し、領域２６０１に入力されたパスワードの認証を行う。認証処理に関しては上述の通りである。そして領域２６０１に入力されたパスワードが認証されると、制御部２０１はこれを検知して表示部３０１の表示を図２７に示す画面に切り替える。なお、プリントジョブがセキュアジョブではない場合には図２６の画面は表示せずに、直接図２７に示す画面を表示する。
【０１１０】
操作者は先に試しプリントにてプリントした一部を見て、プリントの設定を確認するのであるが、設定を変更したい場合にはボタン画像１５を指示する。
【０１１１】
制御部２０１はボタン画像１５の指示を検知すると、表示部３０１の表示を図２８に示す画面に切り替え、図２２に示す画面での設定と同様にしてソータの設定や、両面、片面といった印刷面に係る設定等を行うためのＧＵＩを表示する。ここではソータの設定を図２９に示す如く、「ステイプルソート」に再設定する。そして設定が完了し、ボタン画像１６を指示すると、制御部２０１はこれを検知し、表示部３０１の表示を図３０の画面に切り替える処理を行う。
【０１１２】
よって、試しプリントを行った後、操作者は、プリントに係る様々な設定を再設定することができる。設定した内容についてはデータとしてメモリ２０４に記憶される。なお、再設定する項目はこれに限定するものではない。
【０１１３】
図３０に示す画面においてボタン画像１８を指示すると、上記の試しプリント処理と同様の処理を行う。一方、ボタン画像１７、もしくは図２７の画面における「プリント開始」のボタン画像を指示すると、制御部２０１はこれを検知して、表示部３０１の表示画面を図３１に示す画面に切り替えると共に、リスト９にて選択したプリントジョブをプリントする処理を行う。
【０１１４】
一方、試しプリント後、設定を変更していない場合にはボタン画像１８を指示すると、制御部２０１はこれを検知し、表示部３０１の表示を図３２に示す画面に切り替えると共に、リスト９にて選択したプリントジョブをプリントする処理を行う。
【０１１５】
即ち、プリント部数は図２２に示した画面に示したとおり１２部であるのだが、設定を変更していなければ、先に試しプリントした１部が使えるので、残り１１部をプリントすればよい。しかし、設定を変更した場合には先に試しプリントした１部は無効であるため、改めて１２部をプリントする。
【０１１６】
＜コピーモード＞
次に、コピーモードにおけるプリント処理について説明する。上述の通り、コピーモードの場合にはプリントジョブはハードディスク２０８内で待ち行列の形態でもって順次登録されており、先頭からプリント対象となる。従って制御部２０１は先頭のプリントジョブを参照し、これがセキュアジョブであるのか否かを判断する。判断処理としては、例えば、プリントジョブがセキュアジョブである場合には、このプリントジョブにはパスワードが付加されているので、パスワードの付加が検出されると、制御部２０１はこれを検知し、表示部３０１の表示に図１７に示す画面を表示する。
【０１１７】
そして制御部２０１は、この付加されたパスワードと、領域１７０１に入力されたパスワードとを照合すればよい。いずれにせよ、パスワードを入力させ、それを照合する処理についてはプリントジョブの入力形態に関係なく同じである。
【０１１８】
そして領域１７０１に入力されたパスワードが認証されると（プリントジョブに付加されたパスワードと一致すると）、制御部２０１はこれを検知して表示部３０１の表示を図６に示す画面に切り替える。なお、プリントジョブがセキュアジョブではない場合には図１７に示す画面は表示せずに、直接図６に示す画面を表示する。
【０１１９】
そして操作者は同画面にて、ジョブのプリント部数や用紙選択、倍率などを操作部２０３を用いて設定する。
【０１２０】
図６において１は試しプリント（試しコピー）を指示するためのボタン画像で、これを操作者が自身の指などでもって指示することで、プリントジョブの試しプリントを指示することができる。ここで、操作者が自身の指などでもってボタン画像１を指示すると、制御部２０１はこれを検知して、表示部３０１における表示を図７に示した画面に切り替えると共に、試しプリントを行う。試しプリントを行うとは、プリントジョブに従って一部をプリントするということである。プリントする部数については一部に限定するものではないが、図６の画面にて操作部２０３でもって設定したプリント部数以下の部数である。
【０１２１】
そして一部のプリントが完了すると、制御部２０１はこれを検知して表示部３０１の表示を図１７の画面に切り替える処理を行い、以降の処理の許可を目的とするパスワードの入力を促す。
【０１２２】
領域１７０１に操作部２０３を用いてパスワードを入力し、ボタン画像１７０２を指示すると、制御部２０１はこれを検知し、領域１７０１に入力されたパスワードの認証を行う。そして領域１７０１に入力されたパスワードが認証されると、制御部２０１はこれを検知し、表示部３０１の表示を図８に示す画面に切り替える。なお、プリントジョブがセキュアジョブではない場合には図図１７に示す画面は表示せずに、直接図８に示す画面を表示する。
【０１２３】
操作者は一部のプリント結果を見て、プリントの設定を確認するのであるが、設定を変更したい場合には図８に示すボタン画像２を指示する。
【０１２４】
ここで、ボタン画像２を指示すると、制御部２０１はこれを検知して、表示部３０１の表示を図９に示す画面に切り替え、部数、濃度、仕上がり等を再設定するためのＧＵＩを表示する。ここで操作者がソータを切り替える指示を入力するためのボタン画像３を指示すると、制御部２０１はこれを検知し、表示部３０１の表示を図１０に示す画面に切り替える。図１０に示す画面は、使用するソータを選択するためのＧＵＩ画面である。使用するソータの指示するためのボタン群１００１〜１００４のうち何れか１つを指示すると使用するソータを指示することができ、表示部３０１の表示は図１２に示した画面に切り替わる。なお、更に他の設定を参照する場合にはボタン画像１００５，１００６を指示すればよい。
【０１２５】
一方、図９に示した画面において両面コピーを指示する為のボタン画像４を指示すると、制御部２０１はこれを検知し、表示部３０１の表示を図１１に示す画面に切り替える。図１１に示す画面は、両面コピーの詳細を選択する為のＧＵＩ画面である。ここで両面コピーの詳細をボタン画像１１０１，１１０２の何れかを指示し、その後にボタン画像１１０３を指示することで制御部２０１はこれを検知して表示部３０１の表示は図１２に示した画面に切り替わる。
【０１２６】
よって、試しプリントを行った後、操作者は、プリントに係る様々な設定を再設定することができる。設定した内容についてはデータとしてメモリ２０４に記憶される。なお、再設定する項目はこれに限定するものではない。
【０１２７】
図１２に示す画面においてボタン画像５を指示すると、制御部２０１はこれを検知して、表示部３０１の表示画面を図１３に示す画面に切り替える。
【０１２８】
図１３に示す画面においてボタン画像６を指示すると、制御部２０１はこれを検知し、表示部３０１の画面を図１４に示した画面に切り替えると共に、先に設定したプリント条件でもって、プリントするジョブに対するプリント処理を行う。プリントする部数は最初に設定した部数、もしくは上記再設定処理で再設定した部数である。
【０１２９】
なお、ボタン画像６を指示する前に再度設定を変更したい場合にはボタン画像１３０１を指示すれば、上記再設定を指示した場合と同様の処理を行うし、更にここで試しプリントを行いたい場合にはボタン画像１３０２を指示すれば、上記試しプリント処理を行うことになる。
【０１３０】
なお、上記再設定処理を行わない場合には、先に試しプリントでもってプリントしたものを再度プリントする必要はないので、図６の画面にて操作部２０３でもって設定したプリント部数から１引いた部数分だけプリントを行う。その場合、図１４の表示画面の代わりに図１５に示した表示画面を表示することになる。
【０１３１】
以上の処理により、プリントジョブがセキュアジョブであって、このプリントジョブを試しプリントでもってプリントした後に、操作者が画像形成装置１０１の前から離れてしまっても、その後に行う「指示した部数分だけプリントする」という処理は、パスワードの認証無くしてはできないので、セキュアジョブに基づく、試しプリント、「指示した部数分だけのプリント」を行う場合であっても、プリントジョブに対するセキュリティーを保持することができる。
【０１３２】
図３３は、以上説明した、画像形成装置１０１が行うプリント処理のフローチャートである。なお、同図のフローチャートに従った処理を制御部２０１に実行させるためのプログラムやデータはハードディスク２０８に保存されており、これを制御部２０１の制御に従ってメモリ２０４にロードし、これを用いて制御部２０１が処理を行うことで、画像形成装置１０１は後述するプリント処理を行うことができる。
【０１３３】
外部装置もしくは自身が有するスキャナ部２０２からプリントジョブが入力されたことを制御部２０１が検知すると（ステップＳ３３０１）、制御部２０１は、これをハードディスク２０８に保存する処理を行う（ステップＳ３３０２）。保存する際には上述の通り、機能選択部４０１でもって「ボックス」を選択していると、現在画像形成装置１０１を使用している操作者のボックスに格納するし、「コピー」を選択していると、ハードディスク２０８内に設けられた待ち行列に順に格納される。また、このプリントジョブには、プリント条件（プリント部数などの出力設定）のデータが付加されている。
【０１３４】
次に、入力された全てのプリントジョブのデータがハードディスク２０８に保存されたか否かをチェックし（ステップＳ３３０３）、保存された場合には処理をステップＳ３３０４に進め、ボックスモードの場合には、操作者が操作部２０３を用いて何れかのボックスを開く操作の入力を受けることで、印刷対象のジョブを特定する処理を行うし、コピーモードの場合には待ち行列の先頭のジョブを、印刷対象のジョブとして特定する処理を行う（ステップＳ３３０４）。
【０１３５】
そして、ボックスモードの場合には、操作者が操作部２０３を用いて閲覧しようとしているボックスがセキュアジョブを格納しているボックスであるのか否かを判断するし、コピーモードの場合には、待ち行列の先頭のジョブがセキュアジョブであるのかをチェックする（ステップＳ３３０５）。
【０１３６】
そしてセキュアジョブを格納しているボックスではない、もしくは待ち行列の先頭のジョブがセキュアジョブではない場合には処理をステップＳ３３０８に進める。一方、セキュアジョブを格納しているボックス、もしくは待ち行列の先頭のジョブがセキュアジョブである場合には処理をステップＳ３３０６に進め、図１７に示す画面を表示部３０１の表示画面上に表示して、パスワードの入力を待つ（ステップＳ３３０６）。そしてこの画面において領域１７０１に入力されたパスワードと、このボックスに対して予め設定されたパスワード（もしくはプリント対象のジョブに添付されたパスワード）との照合を行い、一致しているのか否かをチェックする（ステップＳ３３０７）。そして一致していれば、処理をステップＳ３３０８に進める。
【０１３７】
以上の処理が完了すると、ボックスモードの場合には、表示部３０１の表示画面上に図１８に示す画面を表示し、プリントする対象のジョブを選択させ、ジョブが選択され、且つボタン画像１０が指示されると、図２０に示す画面を表示部３０１の表示画面上に表示し、プリントの準備を行う（ステップＳ３３０８）。一方、コピーモードの場合には、表示部３０１の表示画面上に図６に示す画面を表示し、必要に応じて同画面でプリント条件の設定を受け付け、プリントの準備を行う（ステップＳ３３０８）。
【０１３８】
ここで試しプリントが指示されたか否かをチェックする（ステップＳ３３０９）のであるが、ボックスモードの場合には図２２の画面においてボタン画像１３を指示し、且つ図２４において「プリント開始」のボタン画像が指示されたか否か、コピーモードの場合には図６におけるボタン画像１が指示されたか否かをチェックする。
【０１３９】
そして試しプリントが指示されておらず、操作部２０３のボタン群３０２でもってプリント動作実行開始を指示すると、処理をステップＳ３３１０に進め、先に特定したプリントジョブをハードディスク２０８から読み出し、指定されたプリント条件に従ってプリント処理を行う（ステップＳ３３１０）。
【０１４０】
一方、試しプリントが指示されていると、処理をステップＳ３３１１に進め、先に特定したプリントジョブのデータをハードディスク（ＨＤＤ）２０８から読み出し、一部プリントする（ステップＳ３３１１）。
【０１４１】
プリントは、プリントジョブのデータをデータ処理部２０６でもって処理した結果をプリンタ部２０７に送出することでなされるものである。実際のプリント動作については周知のものであるので、ここでの説明は省略する。そして一部のプリント処理が完了すると、プリント処理を一時中断する（ステップＳ３３１２）と共に、プリントジョブがセキュアジョブであるのか否かをステップＳ３３０５における処理と同様の処理を行うことで判断し（ステップＳ３３１３）、セキュアジョブではない場合には処理をステップＳ３３１６に進める。
【０１４２】
一方、セキュアジョブである場合には処理をステップＳ３３１４に進め、ボックスモードの場合には図２６に示す画面、コピーモードの場合には図１７に示す画面を表示部３０１の表示画面上に表示する。そしてパスワードの入力を待ち、ステップＳ３３０７と同様の処理を行うことで、入力されたパスワードの認証処理を行う（ステップＳ３３１５）。そして入力されたパスワードが認証された場合には処理をステップＳ３３１６に進める。
【０１４３】
ステップＳ３３１６では、ボックスモードの場合には図２７に示す画面、コピーモードの場合には図８に示す画面を表示部３０１の表示画面上に表示する（ステップＳ３３１６）。
【０１４４】
そしてこの画面において、「中止」なるボタン画像が指示されると（ステップＳ３３１７）、処理をステップＳ３３１８に進め、プリント対象のプリントジョブをメモリ２０４、及びハードディスク２０８から削除する処理を行い（ステップＳ３３１８）、本処理を終了する。
【０１４５】
また、この画面において、「プリント開始」なるボタン画像が指示されると（ステップＳ３３１９）、処理をステップＳ３３２０に進め、プリント対象のプリントジョブに基づいてプリント処理を行う（ステップＳ３３２０）。なお、プリントする部数は、先に設定した部数から１を引いた分である。
【０１４６】
また、この画面において、「設定変更」なるボタン画像が指示されると（ステップＳ３３２１）、処理をステップＳ３３２２に進め、上述のように、設定変更に係る画面を表示し（ステップＳ３３２２）、この画面において所定の変更の為のボタン画像が指示されると、それに応じた画面を表示し、これにより、各種の変更指示を受け付ける（ステップＳ３３２３）。
【０１４７】
そして上記変更処理が完了すると、ボックスモードの場合には図３０に示す画面、コピーモードの場合には図１３に示す画面を表示部３０１の表示画面上に表示するので、この画面において「プリント開始」なるボタン画像が指示されると（ステップＳ３３２４）、処理をステップＳ３３２５に進め、プリント対象のプリントジョブに基づいてプリント処理を行う（ステップＳ３３２５）。なお、プリントする部数は、先に設定した部数、もしくはステップＳ３３２３で変更した部数である。一方、「プリント開始」なるボタン画像が指示されていない場合には処理をステップＳ３３１６に戻し、以降の処理を行う。
【０１４８】
そしてステップＳ３３２５におけるプリント処理後、メモリ２０４、ハードディスク２０８からプリントジョブのデータを削除し、本処理を完了する。
【０１４９】
以上の処理により、セキュアジョブのセキュリティーを保持することができる。
【０１５０】
なお、本実施形態では、セキュアジョブのセキュリティーを維持するために、セキュアジョブをプリントしようとする操作者の認証を行うべく、パスワードの認証を行うのであるが、認証にはパスワード以外にも、例えば、操作者の網膜パターンや音声、指紋など、操作者の生体情報を用いて認証を行うようにしても良い。その場合には、画像形成装置１０１には、操作者の生体情報を読み取り、プリントジョブに添付されている生体情報とマッチングする機構が必要となる。
【０１５１】
また、認証のためのデータの入力形態としては、接触型の個人認識用ＩＤカードを用いるようにしても良い。
【０１５２】
［第２の実施形態］
本実施形態では、試しプリント後にプリント設定を変更し、再度試しプリントを行う際には、改めてパスワードの入力を促すようにする。
【０１５３】
図３５は、本実施形態に係るプリント処理のフローチャートである。なお、同図の各ステップにおいて、図３３におけるステップと同じものについては同じステップ番号を付けており、その説明は省略する。
【０１５４】
ステップＳ３３２３におけるプリント設定の変更後、ボックスモードの場合には図３０に示す画面、コピーモードの場合には図１３に示す画面において試しプリント、もしくはプリント開始のボタン画像が指示されると、処理をステップＳ３３０９に戻し、以降の処理を繰り返す。
【０１５５】
即ち、プリント設定を変更し、且つ試しプリントを行う場合には改めてパスワードの入力が必要となる。
【０１５６】
また、本実施形態においても、認証のためのデータの入力形態接触型の個人認識用ＩＤカードを用いる方法もある。また非接触型の個人認識用ＩＤカードとカードリーダーを用いることで個人認証とともに、作業者が印刷機器のそばにいる事を認識する事ができ、カードリーダーで認識ができなくなったら、つまり、作業者の離席を検知したら、図３７に示す画面を表示部３０１の表示画面上に表示し、本人以外はジョブの再開ができない仕組みを実施する。
【０１５７】
［第３の実施形態］
本実施形態では、図３３のフローチャートに従った処理において、ステップＳ３３１６における処理を行うに際し、その前段ではパスワードの入力は求めないが、ステップＳ３３１６において表示している画面（ボックスモードの場合には図２７に示す画面、コピーモードの場合には図８に示す画面）に対する操作入力がなされていない時間が連続して所定時間以上であれば再度、認証を行わせる。
【０１５８】
図３４は、本実施形態に係るプリント処理のフローチャートである。なお、同図の各ステップにおいて、図３３におけるステップと同じものについては同じステップ番号を付けており、その説明は省略する。ステップＳ３３１２における処理後、ステップＳ３３１６における処理を行うのであるが、ボックスモードの場合には図２７に示す画面、コピーモードの場合には図８に示す画面に対する操作入力がなされていない時間が連続して所定時間以上であるのか否かをチェックする（ステップＳ３４０２）。時間の計時は制御部２０１内の内部タイマによりなされるものとする。
【０１５９】
そして所定時間以内であれば、ステップＳ３３１７以降の処理を行うのであるが、所定時間以上である場合には処理をステップＳ３３１３に進め、プリントジョブがセキュアジョブであるのか否かをチェックする。そしてセキュアジョブではない場合には処理をステップＳ３４０４に進め、ボックスモードの場合には図２７に示す画面、コピーモードの場合には図８に示す画面の表示を続け、ステップＳ３４５１以降の処理を行う。なお、ステップＳ３４５１以降の各ステップにおける処理は、ステップＳ３３１７以降の各ステップにおける処理と同じであるので、その説明は省略する。
【０１６０】
一方、ステップＳ３３１３で、セキュアジョブであると判断した場合には、処理をステップＳ３４０３に進め、ボックスモードの場合には図２７に示す画面、コピーモードの場合には図８に示す画面の表示を消し（ステップＳ３４０３）、図３８に示すパスワード入力画面を表示し、パスワードの入力を促す（ステップＳ３４０５）。図３８において３８００はパスワードを入力するためのウィンドウで、３８０１はパスワードを入力するための領域、３８０２はパスワードを入力した後に指示することでパスワードの認証を指示するためのボタン画像である。
【０１６１】
領域３８０１に操作部２０３を用いてパスワードを入力し、ボタン画像３８０２を指示すると、制御部２０１はこれを検知し、領域３８０１に入力されたパスワードの認証を行う。この認証処理については上記認証処理と同じである。そして認証した場合には処理をステップＳ３３１５を介してステップＳ３３１６に戻し、以降の処理を繰り返す。
【０１６２】
また、本実施形態においても、認証のためのデータの入力形態接触型の個人認識用ＩＤカードを用いる方法もある。また非接触型の個人認識用ＩＤカードとカードリーダーを用いることで個人認証とともに、作業者が印刷機器のそばにいる事を認識する事ができ、カードリーダーで認識ができなくなったら、つまり、作業者の離席を検知したら、図３７に示す画面を表示部３０１の表示画面上に表示し、本人以外はジョブの再開ができない仕組みを実施する。
【０１６３】
［第４の実施形態］
本実施形態に係るプリント処理は、図３３において、ステップＳ３３１７以降の処理が異なり、変更処理後、所定時間以上何も操作入力が成されなかった場合には改めてパスワードの入力を促すようにする。
【０１６４】
図３６は、本実施形態に係るプリント処理においてステップＳ３３１７以降の処理のフローチャートである。なお、同図の各ステップにおいて、図３３、３４におけるステップと同じものについては同じステップ番号を付けており、その説明は省略する。
【０１６５】
ステップＳ３３２１における変更処理後、変更した場合には処理をステップＳ３３２２に進め、ボックスモードの場合には図２１に示す画面、コピーモードの場合には図９に示す画面を表示部３０１に表示画面に表示させ、各種の変更を受け付けるのであるが、この画面を表示してから、何も操作入力がなされていない時間が連続して所定時間以上経過したか否かをチェックする（ステップＳ３６０２）。
【０１６６】
そしてこのチェック処理の結果、ボックスモードの場合には図２１に示す画面、コピーモードの場合には図９に示す画面を表示部３０１に表示画面に表示させてから、何も操作入力がなされていない時間が連続して所定時間以上経過している場合には処理をステップＳ３３１３に進め、プリントジョブがセキュアジョブであるのか否かをチェックする。そしてセキュアジョブではない場合には処理をステップＳ３６００に進め、「閉じる」のボタン画像が指示されているのか否かをチェックし、指示されている場合には処理をステップＳ３６５１に進める。
【０１６７】
一方、ステップＳ３３１３で、セキュアジョブであると判断した場合には、処理をステップＳ３６０３に進め、ボックスモードの場合には図２１に示す画面、コピーモードの場合には図９に示す画面の表示を消し（ステップＳ３６０３）、図３８に示すパスワード入力画面を表示し、パスワードの入力を促す（ステップＳ３４０５）。
【０１６８】
領域３８０１に操作部２０３を用いてパスワードを入力し、ボタン画像３８０２を指示すると、制御部２０１はこれを検知し、領域３８０１に入力されたパスワードの認証を行う。この認証処理については上記認証処理と同じである。そして認証した場合には処理をステップＳ３３１５を介してステップＳ３３２２に戻し、以降の処理を繰り返す。
【０１６９】
一方、ボックスモードの場合には図２１に示す画面、コピーモードの場合には図９に示す画面を表示部３０１に表示画面に表示させてから、何も操作入力がなされていない時間が連続して所定時間以上経過していない場合には処理をステップＳ３６０４に進め、「閉じる」のボタン画像が指示されているのか否かをチェックし、指示されている場合には処理をステップＳ３３１６に進め、ボックスモードの場合には図２７に示す画面、コピーモードの場合には図８に示す画面を表示部３０１の表示画面上に表示する（ステップＳ３３１６）。
【０１７０】
そしてこの画面において、「中止」なるボタン画像が指示されると（ステップＳ３６０５）、処理をステップＳ３６１０に進め、プリント対象のプリントジョブをメモリ２０４、及びハードディスク２０８から削除する処理を行い（ステップＳ３６１０）、本処理を終了する。
【０１７１】
また、この画面において、「プリント開始」なるボタン画像が指示されると（ステップＳ３６０６）、処理をステップＳ３６０８に進め、プリント対象のプリントジョブに基づいてプリント処理を行う（ステップＳ３６０８）。なお、プリントする部数は、先に設定した部数分である。そしてプリント対象のプリントジョブをメモリ２０４、及びハードディスク２０８から削除する処理を行い（ステップＳ３６０９）、本処理を終了する。
【０１７２】
また、この画面において、「設定変更」なるボタン画像が指示されると（ステップＳ３６０７）、処理をステップＳ３３２２に進め、上述の処理を繰り返す。
【０１７３】
また、ステップＳ３６５１以降における各ステップの処理は、ステップＳ３３１６以降の各ステップにおける処理と同じであるので、その説明は省略する。
【０１７４】
また、本実施形態においても、認証のためのデータの入力形態接触型の個人認識用ＩＤカードを用いる方法もある。また非接触型の個人認識用ＩＤカードとカードリーダーを用いることで個人認証とともに、作業者が印刷機器のそばにいる事を認識する事ができ、カードリーダーで認識ができなくなったら、つまり、作業者の離席を検知したら、図３７に示す画面を表示部３０１の表示画面上に表示し、本人以外はジョブの再開ができない仕組みを実施する。
【０１７５】
また以上の説明は主に、プリントジョブがセキュアジョブである場合について説明したものであり、プリントジョブが非セキュアジョブである場合には以上の説明で、パスワードの入力、認証に係る処理は必要ない。
【０１７６】
即ち、試し印刷機能が設定されたジョブのデータを取り扱う場合に、該試し印刷機能により処理対象のジョブが非セキュアプリントジョブである場合には、本画像形成装置の制御部は、該ジョブの試し印刷処理を画像形成装置により実行させたことに応じて、該ジョブの為に認証処理を行うことなく（例えば、認証データの要求画面を表示させることを禁止するよう制御して）、該ジョブの印刷条件の設定を変更するか、そのまま変更せずに、残りの出力部数分、継続印刷させるか、等の選択をユーザに行わせる為の操作画面を、画像形成装置の操作部に、表示させるよう制御する。そして、該操作画面を介してユーザにより該ジョブの印刷設定変更指示がなされた場合には、該設定変更後の印刷条件でもって該プリントジョブを、最初に指定された出力部数分（即ち、この例だと、試し印刷処理を実行する前に、最初に操作部を介してユーザにより設定された印刷部数分）印刷するよう制御する。
【０１７７】
一方、上記画面を介して設定変更無しでそのまま継続印刷するようユーザから指示された場合には、最初に設定された出力部数から試し印刷時にて出力した部数を減算した出力部数分、最初に指定された印刷条件（用紙サイズ設定や、両面印刷か片面印刷かを特定する為の印刷設定、ステイプル処理やソート処理等のシート処理に関する設定、画像レイアウト処理設定、など、少なくとも、印刷出力部数以外の各種印刷設定条件に相当する）に従って、プリントするよう制御する。
【０１７８】
このように、非セキュアジョブを試し印刷する場合には、セキュアジョブのような認証処理を、試し印刷実行後に、画像形成装置により実行させることを禁止して、該ジョブの試し印刷が完了したことに応答して、そのまま、該ジョブに対する操作画面（印刷条件の設定変更を行ったり、印刷条件の設定変更を実行せずにそのままプリントを継続実行させる等の操作を行う為のユーザインタフェース画面）を、画像形成装置の操作部に表示させるよう制御し、該ＵＩを介してユーザからの所望の指示を受付け可能とし、該指示に基づいた動作を画像形成装置に実行させるよう制御する。
【０１７９】
このように構成することで、セキュアジョブを試し印刷する際のセキュリティを維持するが為に、非セキュアジョブに関しても影響が及んでしまい、非セキュアジョブを試し印刷する際にも、パスワードの入力要求等、認証処理を必要としてしまい、余計な手間を非セキュアジョブのユーザに与えてしまう、等の、新たな問題が起きるのを未然に防止できる。
【０１８０】
このように、本形態は、単に、セキュアジョブの試し印刷後のセキュリティを維持すれば良いという仕様ではなく、セキュアジョブ以外の例えば、非セキュアジョブを試し印刷した場合に、使い勝手が低下する等の新たな別の問題が起きてしまうのを未然に防止し、セキュアジョブを試し印刷した後でもセキュリティを維持する効果と、非セキュアジョブを試し印刷する際の使い勝手の向上させるという効果の両立を実現できるようにしており、画像形成装置を利用する環境、ユーザからの様々なニーズ等、を考慮した、柔軟なシステムを提供できるように構成している。
【０１８１】
［その他の実施形態］
本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【０１８２】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１８３】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１８４】
本発明を上記記録媒体に適用する場合、その記録媒体には、先に説明したフローチャートに対応するプログラムコードが格納されることになる。
【図１】
0005634310.tif 000002
【図２】
0005634310.tif 000003
【図３】
0005634310.tif 000004
【図４】
0005634310.tif 000005
【図５】
0005634310.tif 000006
【図６】
0005634310.tif 000007
【図７】
0005634310.tif 000008
【図８】
0005634310.tif 000009
【図９】
0005634310.tif 000010
【図１０】
0005634310.tif 000011
【図１１】
0005634310.tif 000012
【図１２】
0005634310.tif 000013
【図１３】
0005634310.tif 000014
【図１４】
0005634310.tif 000015
【図１５】
0005634310.tif 000016
【図１６】
0005634310.tif 000017
【図１７】
0005634310.tif 000018
【図１８】
0005634310.tif 000019
【図１９】
0005634310.tif 000020
【図２０】
0005634310.tif 000021
【図２１】
0005634310.tif 000022
【図２２】
0005634310.tif 000023
【図２３】
0005634310.tif 000024
【図２４】
0005634310.tif 000025
【図２５】
0005634310.tif 000026
【図２６】
0005634310.tif 000027
【図２７】
0005634310.tif 000028
【図２８】
0005634310.tif 000029
【図２９】
0005634310.tif 000030
【図３０】
0005634310.tif 000031
【図３１】
0005634310.tif 000032
【図３２】
0005634310.tif 000033
【図３３】
0005634310.tif 000034
【図３４】
0005634310.tif 000035
【図３５】
0005634310.tif 000036
【図３６】
0005634310.tif 000037
【図３７】
0005634310.tif 000038
【図３８】
0005634310.tif 000039